(57)【要約】【課題】設置スペースやコスト等の問題が生じることなく、どのステアリングリモコン等の操作機器にも適応可能な制御装置、動作内容割り当て方法等を提供する。【解決手段】本願は、ユーザにより操作される複数の操作キーが設けられた操作機器に接続される制御装置において、前記操作機器から出力された電圧に相当する値を入力し、何れか一の前記操作キーに対して割り当てるべき前記制御装置の動作内容の選択をユーザから受け付け、動作内容割り当てモードが選択されている状態において、前記ユーザにより前記操作キーが操作されたときに入力された前記値が収まる範囲に対して前記ユーザにより選択された動作内容を割り当て、前記動作内容の割り当て後に前記動作内容割り当てモードが選択されていない状態において、前記ユーザにより前記操作キーが操作されたときに入力された前記値が収まる範囲に対して割り当てられた前記動作内容が実行されるように動作制御を行う。【選択図】図３
2009206683.tif 000002
【特許請求の範囲】
【請求項１】
ユーザにより操作される複数の操作キーが設けられた操作機器であって操作された操作キーに応じて異なる電圧を出力する操作機器に接続される制御装置において、
前記操作機器から出力された電圧に相当する値を入力する入力手段と、
何れか一の前記操作キーに対して割り当てるべき前記制御装置の動作内容の選択をユーザから受け付ける動作内容受付手段と、
動作内容割り当てモードが選択されている状態において、前記ユーザにより前記操作キーが操作されたときに入力された前記値が収まる範囲に対して前記ユーザにより選択された動作内容を割り当てる動作内容割当手段と、
前記動作内容の割り当て後に前記動作内容割り当てモードが選択されていない状態において、前記ユーザにより前記操作キーが操作されたときに入力された前記値が収まる範囲に対して割り当てられた前記動作内容が実行されるように動作制御を行う制御手段と、
を備えることを特徴とする制御装置。
【請求項２】
請求項１に記載の制御装置において、
前記動作内容割当手段は、前記操作機器に設けられた複数の操作キー毎に異なる前記動作内容が割り当てられるように、夫々の当該操作キーが操作されたときに入力された前記値が収まる範囲に対して前記ユーザにより選択された動作内容を割り当てることを特徴とする制御装置。
【請求項３】
請求項１又は２に記載の制御装置において、
各前記範囲は、２つの閾値により設定されており、
前記動作内容の割り当て後に前記動作内容割り当てモードが選択されている状態において、前記動作内容受付手段は、何れか一の前記操作キーに対して割り当てるべき前記制御装置の動作内容の選択をユーザから受け付け、さらに前記動作内容割当手段は、前記ユーザにより前記操作キーが操作されたときに入力された前記値が収まる範囲に対して前記ユーザにより選択された動作内容を割り当てるように、以前に設定された前記閾値を変更することを特徴とする制御装置。
【請求項４】
ユーザにより操作される複数の操作キーが設けられた操作機器であって操作された操作キーに応じて異なる電圧を出力する操作機器に接続される制御装置における動作内容割り当て方法おいて、
前記操作機器から出力された電圧に相当する値を入力する工程と、
何れか一の前記操作キーに対して割り当てるべき前記制御装置の動作内容の選択をユーザから受け付ける工程と、
動作内容割り当てモードが選択されている状態において、前記ユーザにより前記操作キーが操作されたときに入力された前記値が収まる範囲に対して前記ユーザにより選択された動作内容を割り当てる工程と、
前記動作内容の割り当て後に前記動作内容割り当てモードが選択されていない状態において、前記ユーザにより前記操作キーが操作されたときに入力された前記値が収まる範囲に対して割り当てられた前記動作内容が実行されるように動作制御を行う工程と、
を備えることを特徴とする動作内容割り当て方法。
【請求項５】
ユーザにより操作される複数の操作キーが設けられた操作機器であって操作された操作キーに応じて異なる電圧を出力する操作機器に接続されるコンピュータを、
前記操作機器から出力された電圧に相当する値を入力する入力手段、
何れか一の前記操作キーに対して割り当てるべき前記コンピュータの動作内容の選択をユーザから受け付ける動作内容受付手段、
動作内容割り当てモードが選択されている状態において、前記ユーザにより前記操作キーが操作されたときに入力された前記値が収まる範囲に対して前記ユーザにより選択された動作内容を割り当てる動作内容割当手段、及び、
前記動作内容の割り当て後に前記動作内容割り当てモードが選択されていない状態において、前記ユーザにより前記操作キーが操作されたときに入力された前記値が収まる範囲に対して割り当てられた前記動作内容が実行されるように動作制御を行う制御手段として機能させることを特徴とする制御プログラム。
【請求項６】
請求項５に記載の制御プログラムがコンピュータ読み取り可能に記録されていることを特徴とする記録媒体。
【発明の詳細な説明】
【技術分野】
【０００１】
本願は、ユーザにより操作される複数の操作キーが設けられた操作機器であって操作された操作キーに応じて異なる電圧を出力する操作機器に接続される制御装置等の技術分野に関する。
【背景技術】
【０００２】
近年、車両のステアリングに装着される操作機器としてステアリングリモコンが知られている。運転者は、ステアリングを握りつつ手元でステアリングリモコンを操作することにより、車両に搭載されたオーディオ装置やナビゲーション装置等の電子機器に所望の動作を行わせることができる。
【０００３】
ところで、車両購入当初からステアリングに装着されている純正のステアリングリモコンから電子機器に対して出力される電圧（言い換えれば、抵抗）は、一般に、車種やメーカにより異なっている。このため、例えば、車両購入後に当該車両に搭載された電子機器を取り替える（例えば、純正の電子機器から市販の電子機器に取り替える）ような場合に、電子機器内のマイクロコンピュータのＡ／Ｄポートの閾値やプルアップ抵抗値等が固定されているため、車両の車種やメーカにより使用可能な電子機器が限定されるという問題がある。言い換えれば、ステアリングリモコンから出力される操作に応じた電圧を、取り替え後の電子機器側で正常に識別できない場合が生じうるという問題がある。逆に、ユーザが購入した市販の電子機器を搭載した車両を買い替えたいが、買い替え後の車両にも当該市販の電子機器を取り付け使用したい場合、当該市販の電子機器を使用可能な車種やメーカも限定されるという問題がある。
【０００４】
特許文献１には、ステアリングリモコンにより生成される信号を入力し、車載電子機器が識別できる信号に変換してから当該電子機器に出力するステアリングリモコン信号変換アダプタ装置が開示されている。このような装置によれば、上記問題を解決することができる。
【特許文献１】特開２００７−３２０３６０号公報
【発明の開示】
【発明が解決しようとする課題】
【０００５】
しかしながら、特許文献１に開示された技術では、ステアリングリモコンと電子機器間に、ステアリングリモコン信号変換アダプタ装置（以下、「専用の取り付けキット」という）を設ける必要があり、かかる専用の取り付けキットの設置スペースやコスト等の問題がある。
【０００６】
そこで、本願は、このような問題の解消を課題の一つとし、設置スペースやコスト等の問題が生じることなく、どのステアリングリモコン等の操作機器にも適応可能な制御装置、動作内容割り当て方法等を提供することを目的する。
【課題を解決するための手段】
【０００７】
上記課題を解決するため、請求項１に記載の発明は、ユーザにより操作される複数の操作キーが設けられた操作機器であって操作された操作キーに応じて異なる電圧を出力する操作機器に接続される制御装置において、前記操作機器から出力された電圧に相当する値を入力する入力手段と、何れか一の前記操作キーに対して割り当てるべき前記制御装置の動作内容の選択をユーザから受け付ける動作内容受付手段と、動作内容割り当てモードが選択されている状態において、前記ユーザにより前記操作キーが操作されたときに入力された前記値が収まる範囲に対して前記ユーザにより選択された動作内容を割り当てる動作内容割当手段と、前記動作内容の割り当て後に前記動作内容割り当てモードが選択されていない状態において、前記ユーザにより前記操作キーが操作されたときに入力された前記値が収まる範囲に対して割り当てられた前記動作内容が実行されるように動作制御を行う制御手段と、を備えることを特徴とする。
【０００８】
請求項４に記載の発明は、ユーザにより操作される複数の操作キーが設けられた操作機器であって操作された操作キーに応じて異なる電圧を出力する操作機器に接続される制御装置における動作内容割り当て方法おいて、前記操作機器から出力された電圧に相当する値を入力する工程と、何れか一の前記操作キーに対して割り当てるべき前記制御装置の動作内容の選択をユーザから受け付ける工程と、動作内容割り当てモードが選択されている状態において、前記ユーザにより前記操作キーが操作されたときに入力された前記値が収まる範囲に対して前記ユーザにより選択された動作内容を割り当てる工程と、前記動作内容の割り当て後に前記動作内容割り当てモードが選択されていない状態において、前記ユーザにより前記操作キーが操作されたときに入力された前記値が収まる範囲に対して割り当てられた前記動作内容が実行されるように動作制御を行う工程と、を備えることを特徴とする。
【０００９】
請求項５に記載の制御プログラムの発明は、ユーザにより操作される複数の操作キーが設けられた操作機器であって操作された操作キーに応じて異なる電圧を出力する操作機器に接続されるコンピュータを、前記操作機器から出力された電圧に相当する値を入力する入力手段、何れか一の前記操作キーに対して割り当てるべき前記コンピュータの動作内容の選択をユーザから受け付ける動作内容受付手段、動作内容割り当てモードが選択されている状態において、前記ユーザにより前記操作キーが操作されたときに入力された前記値が収まる範囲に対して前記ユーザにより選択された動作内容を割り当てる動作内容割当手段、及び前記動作内容の割り当て後に前記動作内容割り当てモードが選択されていない状態において、前記ユーザにより前記操作キーが操作されたときに入力された前記値が収まる範囲に対して割り当てられた前記動作内容が実行されるように動作制御を行う制御手段として機能させることを特徴とする。
【発明を実施するための最良の形態】
【００１０】
以下、本願の最良の実施形態を添付図面に基づいて説明する。なお、以下に説明する実施の形態は、車両に搭載された車載システムに対して本願を適用した場合の実施形態である。
【００１１】
先ず、本実施形態に係る車載システムの構成及び機能について説明する。
【００１２】
図１は、本実施形態に係る車載システムの概要構成例を示す図である。
【００１３】
図１に示すように、車載システムＳは、ステアリングリモコン１（操作機器の一例）と、ＡＶ（Audio Visual）装置（以下、「車載装置」という）２と、を備えて構成され、ステアリングリモコン１と車載装置２とは例えば専用ケーブル３により図示のように電気的に接続されている。
【００１４】
ステアリングリモコン１には、ユーザにより操作（押下）される複数の操作キーが設けられている。操作キーとしては、例えば音量を上げるための音量アップキー、音量を下げるための音量ダウンキー、楽曲リスト上に複数表示された楽曲タイトルを選択するカーソルを上方向に移動させるためのトラック上キー、当該カーソルを下方向に移動させるためのトラック下キー、ディスク（ＣＤやＤＶＤ等）、テレビ、ラジオ等のソースを切り換えるためのソース切換キー等が挙げられる。
【００１５】
ステアリングリモコン１内部には、夫々の操作キーに対応して、図１に示すように、スイッチＳＷｎ（ｎ＝１，２・・・ｋ）及びリモコン内抵抗Ｒｎ（ｎ＝１，２・・・ｋ）が設けられており、各リモコン内抵抗Ｒｎの抵抗値は互いに異なっている。
【００１６】
例えば、スイッチＳＷ１は、音量アップキーに対応し、当該音量アップキーがユーザにより押下（操作）された場合にオンする（閉じる）ようになっている。これにより、リモコン内抵抗Ｒ１に応じた電圧（具体的には、車載装置２の電源（Ｖｄｄ）を車載装置内抵抗（プルアップ抵抗）Ｒｚとリモコン内抵抗Ｒ１で分圧した電圧）が出力されることになる（その他のスイッチＳＷｎについても同様）。なお、各スイッチＳＷｎが押下されたときに出力される電圧は互いに異なる。つまり、ステアリングリモコン１は、押下された操作キーに応じて異なる電圧を出力する。
【００１７】
一方、車載装置２は、マイクロコンピュータ２１（制御装置の一例）、例えばタッチパネル機能を有するディスプレイ等からなる操作・表示部２２、アンプ及びスピーカ等からなる音声出力部２３、及びハードディスクドライブ等からなる記憶部２４等を備えて構成されており、バス２５介して相互に接続されている。なお、記憶部２４には、例えば、楽曲データ等が記憶されている。その他、車載装置２には、ラジオ放送波及びテレビ放送波を受信するためのチューナや、ＣＤ，ＤＶＤ等から記録情報を再生するためのディスクドライブなどが備えられるが図示を省略している。
【００１８】
マイクロコンピュータ２１は、ＣＰＵ（Central Processing Unit）、入出力等の周辺回路（Ａ（Analog）／Ｄ（Digital）ポートを含む）、及びメモリ等を集積したＬＳＩ（Large-Scale Integration）により構成される。メモリには、各種プログラム（本発明の制御プログラムを含む）及び各種設定データが記憶されている。また、Ａ／Ｄポート（入力手段の一例）は、ステアリングリモコン１から出力された電圧をデジタル値（電圧に相当する値の一例）に変換して入力するＡ／Ｄ変換器（Ａ／Ｄ変換の分解能は例えば２５６）として機能する。また、ＣＰＵは、メモリに記憶されたプログラムを読み出し実行することにより、本願の動作内容受付手段、動作内容割当手段、及び制御手段等として機能する。
【００１９】
より具体的に、ＣＰＵは、通常動作モードが選択されている状態（動作内容割り当てモードが選択されていない状態）において、ユーザによりステアリングリモコン１における操作キーが押下（操作）されたときにＡ／Ｄポートにより入力されたデジタル値が収まる数値範囲に対して割り当てられた（対応付けられた）マイクロコンピュータ２１の動作内容が実行されるように動作制御を行うようになっている。
【００２０】
ここで、車載装置２には、通常動作モードと動作内容割り当てモードの２つのモードがあり、ユーザは例えば操作・表示部２２を通じて通常動作モードと動作内容割り当てモードとの何れか一方を切り換え選択できるようになっている。
【００２１】
また、動作内容としては、例えば、音量を上げる動作、音量を下げる動作、楽曲タイトルを選択するカーソルを上方向に移動させる動作、当該カーソルを下方向に移動させる動作、ソースを切り換え動作等が挙げられるが、これらに限定されるものではない。
【００２２】
図２は、各数値範囲と各動作内容との対応関係の一例を示す図である。図２の例では、「０〜２５５」までのうち、「１０〜２０」の数値範囲には音量を上げる動作が、「３０〜４０」の数値範囲には音量を下げる動作が、「５０〜６０」の数値範囲にはカーソルを上方向に移動させる動作が、「７０〜８０」の数値範囲にはカーソルを下方向に移動させる動作が、「９０〜１００」の数値範囲にはソースを切り換え動作が、夫々割り当てられている。各数値範囲の上限値（例えば「２０」）及び下限値（例えば「１０」）は閾値である。つまり、夫々の動作内容に割り当てられる各数値範囲は、２つの閾値により設定されるようになっており、この設定データはメモリに記憶される。
【００２３】
ところで、ステアリングリモコン１及び車載装置２が共に例えば純正品である場合、例えば、ステアリングリモコン１における音量アップキーが押下されたときにＡ／Ｄポートにより入力されるデジタル値は「１０〜２０」の数値範囲内に収まるように調整されている（例えば、デジタル値は「１５」）ため、音量を上げる動作が正常に実行されることになり、操作キーと動作内容との対応が正常に図られている。しかし、ステアリングリモコン１と車載装置２の何れか一方又は双方がその後に交換された場合、操作キーと動作内容との対応関係が崩れる場合がある。上記例で言えば、音量を上げる動作が例えば「６０〜７０」の数値範囲に割り当てられている場合や、音量アップキーが押下されたときにＡ／Ｄポートにより入力されるデジタル値が例えば「５０」である場合（つまり、同じ操作キーでもステアリングリモコン１毎に当該操作キーが押下されたときの出力電圧が異なる）等がある。これら何れの場合も、ユーザが音量アップキーを押下したとき音量を上げる動作が正常に実行されないことになる。
【００２４】
そこで、本実施形態では、車載装置２側で上記数値範囲を定める閾値を適宜設定又は変更することにより、ステアリングリモコン１と車載装置２の何れか一方又は双方がその後に交換された場合にも、操作キーと動作内容との対応が正常に図られることを可能としている。
【００２５】
具体的には、ＣＰＵは、動作内容割り当てモードが選択されている状態において、何れか一の操作キー（ユーザが所望する操作キー）に対して割り当てるべき（つまり、ユーザが割り当てたい）マイクロコンピュータ２１の動作内容の選択を当該ユーザから例えば操作・表示部２２を通じて受け付ける（入力する）と共に、当該一の操作キーが押下されたときにＡ／Ｄポートにより入力されたデジタル値が収まる数値範囲に対して当該ユーザにより上記選択された動作内容を割り当てる動作内容割り当て処理を行うようになっている。例えば、入力されたデジタル値が例えば「５０」である場合、この値を基準としたプラスマイナス所定パーセント（例えば１０％）の数値範囲（４５〜５５）がＣＰＵにより算出され、当該算出された数値範囲に対して上記選択された動作内容（例えば、音量を上げる動作）が割り当てられ、当該数値範囲（２つの閾値により設定）と当該動作内容の対応関係を示す設定データがメモリに記憶される。
【００２６】
なお、ステアリングリモコン１に設けられた複数の操作キー毎に異なる動作内容が割り当てられるように、夫々の当該操作キーが押下されたときに入力されたデジタル値が収まる数値範囲に対してユーザにより選択された動作内容が割り当てられることになり、各数値範囲は重複しないように調整される。
【００２７】
また、例えば、車載装置２の販売時（デフォルト時）には、上記数値範囲と動作内容の対応関係がデフォルト設定されている（つまり、数値範囲に対して動作内容が割り当てられている）ように構成しても良いし、或いは、上記数値範囲と動作内容の対応関係が設定されていない（そもそも、数値範囲が設定されていない）ように構成しても良い。
【００２８】
また、数値範囲と動作内容の対応関係が設定されている場合に、上記動作内容割り当て処理が行われると、既に動作内容に割り当てられている数値範囲を定める以前に設定された閾値が変更（例えば、下限値「１０」が「４５」に変更、且つ上限値「２０」が「５５」に変更）されることになる。
【００２９】
次に、本実施形態に係る車載システムＳの動作について説明する。
【００３０】
図３は、本実施形態に係る車載装置２のマイクロコンピュータ２１における動作内容割り当て処理を示すフローチャートである。図４は、動作内容割り当て処理において、操作・表示部２２に表示される画面例を示す図である。
【００３１】
図３に示す処理は、例えば、ユーザが操作・表示部２２を操作して動作内容割り当てモードを選択（例えば、表示されたメニュー画面から「モード切換」ボタンを選択）することにより開始される。或いは、ユーザが車載装置２を購入して自身が所有する車両に取り付け後、電源を入れることにより自動的に開始される。
【００３２】
図３に示す処理が開始されると、操作・表示部２２上に、例えば図４（Ａ）に示すようなセットアップ画面が表示され、当該セットアップ画面上に所望の操作キーの押下を促すメッセージが表示される（ステップＳ１）。
【００３３】
そして、ステアリングリモコン１に設けられた複数の操作キーのうち、ユーザが所望の操作キーを押下すると、当該操作キーに応じた電圧が、車載装置２のマイクロコンピュータ２１のＡ／Ｄポートによりデジタル値に変換されて入力される（ステップＳ２）。
【００３４】
次いで、当該入力されたデジタル値を基準としたプラスマイナス所定パーセント（例えば１０％）の数値範囲（つまり、当該デジタル値が収まる数値範囲）が算出され（ステップＳ３）、メモリに記憶される。
【００３５】
次いで、例えば図４（Ｂ）に示すように、操作・表示部２２におけるセットアップ画面上に、複数の動作内容の夫々に対応する選択ボタンが表示されると共に、所望の選択ボタンの押下を促すメッセージが表示される（ステップＳ４）。
【００３６】
次いで、ユーザが上記ステップＳ２で押下した操作キーに割り当てたい動作内容に対応する選択ボタンＢｎ（ｎは１〜５の何れか）を押下すると、当該選択ボタンＢｎに対応する動作内容の選択が受け付けられる（ステップＳ５）。
【００３７】
次いで、上記ステップＳ３で算出された数値範囲に対して上記ステップＳ５で選択された動作内容が割り当てられ（ステップＳ６）、当該数値範囲と当該動作内容の対応関係を示す設定データがメモリに記憶される。つまり、動作内容と、数値範囲の基になったデジタル値との関係が学習される。
【００３８】
次いで、例えば図４（Ｃ）に示すように、操作・表示部２２におけるセットアップ画面上に、動作内容の割り当てを終了するか否かのメッセージが表示され（ステップＳ７）、これに応じて、ユーザが継続ボタン６１を押下すると、動作内容割り当て処理を終了しないと判断され（ステップＳ８：ＮＯ）、ステップＳ１に戻り、上記と同様の処理が継続される。なお、既に数値範囲に割り当てられた動作内容に対応する選択ボタンについてはセットアップ画面上に表示されないか、或いは表示されてもユーザにより選択不能状態になる。
【００３９】
一方、図４（Ｃ）に示すセットアップ画面における終了ボタン６２をユーザが押下すると、動作内容割り当て処理を終了すると判断され（ステップＳ８：ＹＥＳ）、当該処理が終了（セットアップの終了）し、通常動作モードに自動的に切り換えられる。
【００４０】
こうして動作内容割り当てが完了すると、通常動作モードでは、上述したように、ユーザによりステアリングリモコン１における操作キーが押下されたときにＡ／Ｄポートにより入力されたデジタル値が収まる数値範囲に対して割り当てられた動作内容が実行されることになる。
【００４１】
以上説明したように、上記実施形態における車載装置２によれば、動作内容割り当てモードが選択されている状態において、ステアリングリモコン１に設けられた複数の操作キーのうち、ユーザが所望の操作キーが押下されたときにＡ／Ｄポートにより入力されたデジタル値が収まる数値範囲に対して、当該ユーザにより選択された動作内容を割り当てるように構成したので、専用の取り付けキットを必要とせず、したがって設置スペースやコスト等の問題が生じることなく、どの車種等のステアリングリモコン１にも適応（対応）することができ、しかも、ステアリングリモコン１に備えられた夫々の操作キーに対する動作内容の割り当てをユーザの好みに合わせてカスタマイズ（操作キーの位置までもカスタマイズ可能）することができる。
【００４２】
なお、例えば車種やメーカ毎に予め、数値範囲と動作内容の対応関係を示す設定データをメモリに記憶しておき、セットアップ画面上でユーザから、予め車載装置側で用意された車種やメーカが選択されると、当該車種やメーカに対応する設定データが読み出され、動作制御に用いられる方法も考えられるが、この方法では全ての車種やメーカのステアリングリモコンに対応することは困難である。しかしながら、上述した実施形態における車載装置２によれば、全ての車種やメーカのステアリングリモコンに対応することができる。
【００４３】
なお、上記実施形態では、本願における制御装置をＡＶ装置に対して適用した例を示したが、これに限定されるものではなく、ナビゲーション装置等に対して適用することもできる。
【図面の簡単な説明】
【００４４】
【図１】本実施形態に係る車載システムの概要構成例を示す図である。
【図２】各数値範囲と各動作内容との対応関係の一例を示す図である。
【図３】本実施形態に係る車載装置２のマイクロコンピュータ２１における動作内容割り当て処理を示すフローチャートである。
【図４】動作内容割り当て処理において、操作・表示部２２に表示される画面例を示す図である。
【符号の説明】
【００４５】
１  ステアリングリモコン
２  車載装置
３  専用ケーブル
２１  マイクロコンピュータ
２２  操作・表示部
２３  音声出力部
２４  記憶部
Ｓ  車載システム
【図１】
2009206683.tif 000003
【図２】
2009206683.tif 000004
【図３】
2009206683.tif 000005
【図４】
2009206683.tif 000006